【手続補正書】
【提出日】平成23年5月6日(2011.5.6)
【手続補正１】
【補正対象書類名】特許請求の範囲
【補正対象項目名】全文
【補正方法】変更
【補正の内容】
【特許請求の範囲】
【請求項１】
揮発性有機化合物（ＶＯＣ）に乏しい又は本質的にＶＯＣ不含の組成物のコーティング剤中での使用において、その際、当該組成物が、少なくとも部分的に、１個または複数個の部分又は完全加水分解され、かつ場合により縮合又は共縮合されたアミノアルキル官能性並びにオリゴシリル化アミノアルキル官能性、アルコキシ官能性又はヒドロキシ官能性のケイ素化合物をベースとし、かつ、アルコールが当該組成物から少なくとも部分的に除去されている、揮発性有機化合物（ＶＯＣ）に乏しい又は本質的にＶＯＣ不含の組成物のコーティング剤中での使用。
【請求項２】
コーティング剤を、紙又はフィルムの被覆のために使用する、請求項１に記載の使用。
【請求項３】
組成物中に含有されるアミノアルキル官能性又はオリゴシリル化アミノアルキル官能性、ヒドロキシ官能性及び場合によってはアルコキシ官能性のケイ素化合物の少なくとも１種のケイ素化合物が、
（Ａ）一般式Ｉ
【化１】
2010537017.tif 000001
［式中、基Ｒ、Ｒ’、及びＲ’’は同じか又は異なって、かつ、それぞれ水素原子又は１〜８個の炭素原子を有する直鎖又は分枝のアルキル基を示し、Ｙは−ＣＨ２−、−（ＣＨ２）２−、−（ＣＨ２）３−又は−［ＣＨ２ＣＨ（ＣＨ３）ＣＨ２］−の群から成る二価のアルキレン基であり、ｘは０、１又は２であり、かつｎは０又は１である］の少なくとも１種のアミノアルキルアルコキシシラン又は
（Ｂ）一般式ＩＩ
【化２】
2010537017.tif 000002
［式中、基Ｒ、Ｒ’及びＲ’’は同じか又は異なって、かつ、それぞれ水素原子又は１〜８個の炭素原子を有する直鎖又は分枝のアルキル基を示し、基Ｙは同じか又は異なって、かつＹは−ＣＨ２−、−（ＣＨ２）２−、−（ＣＨ２）３−又は−［ＣＨ２ＣＨ（ＣＨ３）ＣＨ２］−の群から成る二価のアルキレン基であり、ｙ及びｚは独立して０、１または２であり、かつ、ｍ及びｎは独立して０または１である］の少なくとも１種のビス−シリル化アルキルアミン又は
（Ｃ）一般式ＩＩＩ
【化３】
2010537017.tif 000003
［式中、基ＲおよびＲ’’は同じか又は異なって、かつそれぞれ水素又は１〜８個の炭素原子を有する直鎖又は分枝のアルキル基を示し、Ｙは独立して−ＣＨ２−、−（ＣＨ２）２−、−（ＣＨ２）３−又は−［ＣＨ２ＣＨ（ＣＨ３）ＣＨ２］−の群から成る二価のアルキレン基であり、かつｎは独立して０又は１である］の少なくとも１種のトリス−シリル化アルキルアミン又は
（Ｄ）一般式Ｉ、ＩＩ及びＩＩＩＩの前記シリル化アルキルアミンの少なくとも２種の反応からの反応生成物である、請求項１又は２に記載の使用。
【請求項４】
成分（Ａ）としてＡＭＭＯ、ＡＭＥＯ、ＤＡＭＯ、ＴＲＩＡＭＯ、３−（Ｎ−アルキルアミノ）プロピルトリアルコキシシランの群からのもの、その際、アルキルはメチル、エチル、ｎ−プロピルまたはｎ−ブチルを意味し、かつ、アルコキシは、メトキシまたはエトキシを意味し、
成分（Ｂ）としてＢｉｓ−ＡＭＭＯ、Ｂｉｓ−ＡＭＥＯ、Ｂｉｓ−ＤＡＭＯ、Ｂｉｓ−ＴＲＩＡＭＯの群からのもの、及び
成分（Ｃ）としてトリス−ＡＭＭＯ、トリス−ＡＭＥＯの群からのものを選択する、請求項３に記載の使用。
【請求項５】
組成物が、組成物に対して１質量％未満、好ましくは０．５質量％未満の遊離アルコールの含量を示す、請求項１から４までのいずれか１項に記載の使用。
【請求項６】
組成物が、組成物に対して０．１〜９９．５質量％の少なくとも１種の少なくとも部分的に加水分解されたケイ素化合物の含量を示す、請求項１から５までのいずれか１項に記載の使用。
【請求項７】
組成物が、組成物に対して９９．９〜０．５質量％の水の含量を示す、請求項１から６までのいずれか１項に記載の使用。
【請求項８】
組成物がｐＨ値２〜１１を示す、請求項１から７までのいずれか１項に記載の使用。
【請求項９】
組成物が酸及び／または酸からの相当する塩及び前記アミノ官能性化合物の含量を示す、請求項１から８までのいずれか１項に記載の使用。
【請求項１０】
コーティング塗料が、平均粒径１μｍ未満を有する少なくとも１種の金属酸化物、好ましくは熱分解法シリカを、組成物に対して５〜５０質量％の量で含有する、請求項１から９までのいずれか１項に記載の使用。
【請求項１１】
コーティング塗料が、少なくとも部分的に加水分解されたアミノ官能性ケイ素化合物を、ケイ素として換算してかつコーティング塗料に対して１〜１０質量％の量で含有する、請求項１から１０までのいずれか１項に記載の使用。
【請求項１２】
コーティング塗料が、ケイ素化合物含有組成物及び少なくとも１種の金属酸化物をベースとし、かつさらに、バインダー、架橋剤、蛍光増白剤及び加工助剤の群からの少なくとも１種の他の成分を含有する、請求項１から１１までのいずれか１項に記載の使用。
【請求項１３】
コーティング塗料を、フィルム又はＰＥ改質紙上に塗布し、かつ乾燥又は硬化させる、請求項１から１２までのいずれか１項に記載の使用。
【請求項１４】
前記組成物又は前記コーティング塗料の使用により得られる紙又はフィルムを、インクジェット適用のため及び／又は写真紙ないしは写真印刷用フィルムとして使用する、請求項１から１２までのいずれか１項に記載の使用。
【請求項１５】
組成物中に含まれるアミノアルキル官能性又はオリゴシリル化アミノアルキル官能性、ヒドロキシ官能性及び場合によってはアルコキシ官能性のケイ素化合物が、
（Ａ）一般式Ｉ
【化４】
2010537017.tif 000004
［式中、Ｒ、Ｒ’及びＲ’’は同じか又は異なって、かつそれぞれ水素又は１〜８個の炭素原子を有する直鎖又は分枝のアルキル基を示し、Ｙは−ＣＨ２−、−（ＣＨ２）２−、
−（ＣＨ２）３−又は−［ＣＨ２ＣＨ（ＣＨ３）ＣＨ２］−の群からの二価のアルキレン基を示し、ｘは０、１又は２であり、かつｎは０又は１である］の少なくとも１種のアミノアルキルアルコキシシラン又は
（Ｂ）一般式ＩＩ
【化５】
2010537017.tif 000005
［式中、基Ｒ、Ｒ’及びＲ’’は同じか又は異なって、かつそれぞれ水素又１〜８個の炭素原子を有する直鎖又は分枝のアルキル基を示し、基Ｙは同じか又は異なって、かつＹは−ＣＨ２−、−（ＣＨ２）２−、−（ＣＨ２）３−又は−［ＣＨ２ＣＨ（ＣＨ３）ＣＨ２］−の群からの二価のアルキレン基を示し、ｙ及びｚは独立して０、１又は２であり、かつｍ及びｎは独立して０又は１である］の少なくとも１種のビス−シリル化アルキルアミン又は
（Ｃ）一般式ＩＩＩ
【化６】
2010537017.tif 000006
［式中、基Ｒ及びＲ’’は同じか又は異なって、かつそれぞれ水素原子又は１〜８個の炭素原子を有する直鎖又は分枝のアルキル基を示し、Ｙは独立して、−ＣＨ２−、−（ＣＨ２）２−、−（ＣＨ２）３−又は−［ＣＨ２ＣＨ（ＣＨ３）ＣＨ２］−の群からの二価のアルキレン基を示し、かつｎは独立して０又は１である］の少なくとも１種のトリス−シリル化アルキルアミン又は
（Ｄ）一般式Ｉ、ＩＩ及びＩＩＩの前記シリル化アルキルアミンの少なくとも２種の反応からの反応生成物であり、かつ、当該組成物中の遊離アルコールの含量が、組成物に対して１質量％未満である、組成物。
【請求項１６】
請求項１５に記載の組成物を製造する方法において、
（Ａ）一般式Ｉ
【化７】
2010537017.tif 000007
［式中、基Ｒ、Ｒ’、及びＲ’’は同じか又は異なって、かつ、それぞれ水素原子又は１〜８個の炭素原子を有する直鎖又は分枝のアルキル基を示し、Ｙは−ＣＨ２−、−（ＣＨ２）２−、−（ＣＨ２）３−又は−［ＣＨ２ＣＨ（ＣＨ３）ＣＨ２］−の群から成る二価のアルキレン基であり、ｘは０、１又は２であり、かつｎは０又は１である］の少なくとも１種のアミノアルキルアルコキシシラン又は
（Ｂ）一般式ＩＩ
【化８】
2010537017.tif 000008
［式中、基Ｒ、Ｒ’及びＲ’’は同じ又は異なって、かつ、それぞれ水素原子又は１〜８個の炭素原子を有する直鎖又は分枝のアルキル基を示し、基Ｙは同じ又は異なって、かつＹは−ＣＨ２−、−（ＣＨ２）２−、−（ＣＨ２）３−又は−［ＣＨ２ＣＨ（ＣＨ３）ＣＨ２］−の群から成る二価のアルキレン基であり、ｙ及びｚは独立して０、１または２であり、かつ、ｍ及びｎは独立して０または１である］の少なくとも１種のビス−シリル化アルキルアミン又は
（Ｃ）一般式ＩＩＩ
【化９】
2010537017.tif 000009
［式中、基ＲおよびＲ’’は同じか又は異なって、かつそれぞれ水素又は１〜８個の炭素原子を有する直鎖又は分枝のアルキル基を示し、Ｙは独立して−ＣＨ２−、−（ＣＨ２）２−、−（ＣＨ２）３−又は−［ＣＨ２ＣＨ（ＣＨ３）ＣＨ２］−の群から成る二価のアルキレン基であり、かつｎは独立して０又は１である］の少なくとも１種のトリス−シリル化アルキルアミン又は
（Ｄ）一般式Ｉ、ＩＩ及びＩＩＩＩの前記シリル化アルキルアミンの少なくとも２種を、特定量の水を用いて、かつ、場合により酸を添加しながら加水分解し、かつ、縮合又は共縮合し、かつ、遊離アルコールを本質的に系から除去する、請求項１５に記載の組成物の製造方法。